(57)【要約】  【課題】  間仕切り壁等の壁パネルの厚みに拘わらず、電設用ボックス本体を間仕切り壁同士間に形成され空間部分に収納できるものでありながら、壁パネルに確りと固定することができる電設用取付体を提供する。  【解決手段】  間仕切り壁(20)を構成する壁パネル(21)の開口空間(22)内に後付により設置される電設用取付体(１)である。前記取付体(１)は、背面板(４)とその背面板(４)の一端縁を除く三方の端縁に立設した略冂字形側壁(５)(６)(７)とを有する単位構成体(２)(３)を、その対面配置されている側壁部分(５)(６)同士が相対揺動可能となる状態に連結することで、中折れ揺動可能なボックス状に形成してある。【選択図】    図１
2010088226.tif 000002
【特許請求の範囲】
【請求項１】
間仕切り壁(20)を構成する壁パネル(21)(21)の開口空間(22)内に後付により設置される電設用取付体(１)であって、前記取付体(１)は、背面板(４)と略冂字形側壁(５)(６)(７)とを有する単位構成体(２)(３)を、その対面配置されている側壁部分(５)(６)同士が相対揺動可能となる状態に連結することで、中折れ揺動可能なボックス状に形成してあることを特徴とする電設用取付体。
【請求項２】
単位構成体(２)(３)を、その側壁(５)(６)の遊端近傍部同士を相対揺動可能に連結している請求項１に記載の電設用取付体。
【請求項３】
単位構成体(２)(３)の略冂字形側壁(５)(６)(７)での対向していない側壁(７)に電線保護管挿入口(11)が開設してある請求項１又は２に記載の電設用取付体。
【請求項４】
単位構成体(２)(３)を同一形状に形成してある請求項１〜３のいずれか１項に記載の電設用取付体。
【請求項５】
少なくとも一方の単位構成体(３)に壁パネル当接フレーム(12)が出退移動可能に設置してある請求項１〜４のいずれか１項に記載の電設用取付体。
【発明の詳細な説明】
【技術分野】
【０００１】
本発明は、間仕切り壁パネル等の壁パネルの開口内にスイッチやコンセント等配線器具を後付け可能にする電設用取付体に関する。
【背景技術】
【０００２】
建物の間仕切り壁パネル等の壁パネルにスイッチやコンセント等配線器具を後付設置する場合、一般に、間仕切り壁を構成しているパネルに電設用ボックスが嵌着できる孔を開設し、この孔を通して間仕切り壁同士間に形成され空間部分に前記電設用ボックスを収容し、電設ボックス内にケーブルを引き込み、スイッチやコンセントなどの配線器具に結線したのち、取り付け金具を電設用ボックスにネジ止め固着することで壁パネルを構成している石膏ボードや表面板を挟持し、電設ボックスの枠体を間仕切り壁同士間に形成された空間部分に配置固定するようにしていた。
【０００３】
ところが、この場合、電線保護管等の接続が面倒であるという不便さを有していた。このような問題を解決するものとして、従来例えば、前面開放状に形成した電設用ボックス本体での周側壁での対向面と、この対向面に隣接する壁面とに亘って可撓性を有する管類の接続端部を挿入し接続するための挿入口を形成し、開放している前面の端縁部分に翼片を突出形成した配線ボックスが提案されている。(特許文献１)
【特許文献１】特開２００７-２２８６５３号公報
【発明の開示】
【発明が解決しようとする課題】
【０００４】
ところが、前述の電設用ボックス本体では、間仕切り壁等の壁パネルに透設された電設用ボックス嵌着孔にボックスの周側壁が当接する状態となることから、壁パネルの厚みが厚いと、壁パネルが電線保護管挿入口の一部を封止する状態となるため、電線保護管の電設用ボックス本体への接続が充分でないという事態を引き起こすことがあった。
【０００５】
このような点に鑑み本発明は、間仕切り壁等の壁パネルの厚みに拘わらず、電設用ボックス本体を間仕切り壁同士間に形成され空間部分に収納できるものでありながら、壁パネルに確りと固定することができる電設用取付体を提供することを目的とする。
【課題を解決するための手段】
【０００６】
上述の目的を達成するために、請求項１に記載の本発明は、間仕切り壁を構成する壁パネルの開口内に後付により設置される電設用取付体であって、前記取付体は、背面板と略冂字形側壁とを有する単位構成体を、その対面配置されている側壁部分同士が相対揺動可能となる状態に連結することで、中折れ揺動可能なボックス状に形成したことを特徴としている。
【発明の効果】
【０００７】
本発明は、間仕切り壁を構成する壁パネル同士間に形成され空間部分に後付により設置される電設用取付体を中折れ揺動可能なボックス状に形成していることから、壁パネルに開設されている開口部の縦方向の長さよりも多少長い電設用取付体であっても、壁パネル同士間に形成され空間部分内に収納することができ、電線保護管挿入口を壁パネル同士間の空間内に確実に位置させることができるうえ、スイッチやコンセントなどの機器固定時に壁パネルをしっかりと挟持することができるようになるから、電設ボックスの固定が安定することになる。
【発明を実施するための最良の形態】
【０００８】
図は、本発明の一実施形態を示し、図１は電設用取付体の斜視図、図２は電設用取付体の左側面図、図３は電設用取付体の正面図をそれぞれ示す。
この電設用取付体(１)は、一対の単位構成体(２)(３)を揺動可能に連結して、中折れ可能な前面開放型のボックス体で構成してある。
【０００９】
この単位構成体(２)(３)は、背面板(４)とこの背面板(４)の三方の端縁部から立設されて正面視で略冂字形をなしている側壁(５)(６)(７)とを有している。この単位構成体(２)(３)は、同一形状をなしており点対象の状態で組み付け、対向配置されている側壁(５)(６)での非連結端縁側(遊端側)の背面側部分同士を相対揺動可能に連結することで、単位構成体(２)(３)は中折れ可能に構成されている。
【００１０】
単位構成体(２)(３)の一方の側壁(５)での非連結端縁は、前面側での端縁長が背面板側での端縁長よりも短くなる傾斜面に形成してあり、他方の側壁(６)での非連結端縁は、前面側での端縁長が背面板側での端縁長よりも長くなる傾斜面に形成してある。
【００１１】
そして、前面側での端縁長が背面板側での端縁長よりも短くなる傾斜面に形成してある側壁(５)には、両単位構成体(２)(３)を中折れ揺動可能に連結する枢支ピン(８)の軸芯を中心とした円弧状のガイド溝(９)が刻設してあり、前面側での端縁長が背面板側での端縁長よりも長くなる傾斜面に形成してある側壁(６)の前面側端部には、前記ガイド溝(９)に嵌り込むガイドピン(10)が突設してある。
【００１２】
各単位構成体(２)(３)の連結側壁(７)には、電線保護管挿入口(11)が連結側壁(７)から背面板(４)にかけて開口形成してある。さらに、対向配置されている側壁(５)(６)の連結側壁(７)側端寄り部分に壁パネル当接フレーム(12)を出退案内する出退溝(13)が前後向きに刻設してある。この壁パネル当接フレーム(12)は、前述の出退溝(13)に案内されて前後方向に出退する一対の略Ｌ字状アーム部分(14)と、このアーム部分(14)の先端部分でそれぞれ外向き一体連出している当接板(15)と、一対の略Ｌ字状アーム部分(14)の前端面同士を連結する連結板部分(16)とで構成してある。
【００１３】
壁パネル当接フレーム(12)はそのアーム部分(14)での背面側端部に内向きに突設した摺動ピン(17)が単位構成体(２)(３)の側壁(５)(６)に刻設されている出退溝(13)内を移動することで、壁パネル当接フレーム(12)が前後方向に出退するようになっている。このとき、側壁(５)(６)の出退溝(13)を形成している部分での上側部分を僅かに外側に突出させることで、壁パネル当接フレーム(12)はそのアーム部分(14)の上面部分が、この僅かに外側に突出している側壁(５)(６)の肉壁部分で受け止められるようになり、アーム部分(14)の下側への自由揺動は確保されるが上側への自由揺動が抑制されるようにしてある。
【００１４】
また、側壁(５)(６)の前端面部分での外側に突出させた部分と対応する個所に、小さな突起(17)を前向きに突設している。この小突起(17)は、後述するように、電設用取付体(１)を壁パネル同士間の空間にセットしたした際、壁パネルに開設されている開口部のコーナー部に当接するして電設用取付体(１)のガタツキを抑制する機能を擁している。
【００１５】
図４及び図５は、上記実施形態の電設用取付体(１)を間仕切り壁(20)を構成する壁パネル(21)(21)同士間に形成され空間部分(22)にセットする手順を示す。
まず、間仕切り壁(20)の一方の壁パネル(21)に開設されている電設用ボックス挿入孔(23)から導出されている電線(24)を、電設用取付体(１)の一方の単位構成体(２)での連結側壁(７)に形成されている電線保護管挿入口(11)から電設用取付体(１)内に通しておく。
【００１６】
ついで、中折れ可能な前面開放型のボックス体として構成されている電設用取付体(１)をまっすぐにした状態で電設用ボックス挿入孔(23)に斜めに挿入したのち、電設用取付体(１)を屈曲させる。その際、電線保護管(25)があれば電線保護管(25)を連結側壁(７)に形成されている電線保護管挿入口(11)に嵌着する。
【００１７】
そして、電設用取付体(１)を屈曲させた状態のまま押し込んで、壁パネル(21)(21)同士間に形成され空間部分(22)に挿入すると、屈曲状態の電設用取付体(１)を上方にスライドさせながら電設用取付体(１)の下半分(他方の単位構成体)を上半分に対して揺動させることで、電設用取付体(１)をまっすぐにし、電設用取付体(１)を前側に引き寄せる。この下半部押し込み時に、壁パネル当接フレーム(12)は電設用取付体(１)に対して進出姿勢となっているので、電設用取付体(１)を前側に引き寄せると同時に、この壁パネル当接フレーム(12)を押し込むことで、壁パネル当接フレーム(12)のアーム部分(14)が電設用ボックス挿入孔(23)の下端面部分に当接して電設用取付体(１)を受け止めるとともに、当接板(15)が壁パネル(21)(21)の表面に当接することになる。
【００１８】
その後、電線(24)にスイッチやコンセント等配線器具(図示略)を結線し、この配線器具を電設用取付体(１)のネジ受け部(26)に止付けネジ(図示略)で止め付けることで、電設用取付体(１)の側壁(５)(６)(７)と配線器具のフレーム部とで壁パネル(21)(21)を挟持することになる。次に配線器具のフレーム部に化粧カバーを外嵌固定することで、壁面にスイッチやコンセント等配線器具を後付固定できることになる。
【００１９】
図６は本発明の別の実施形態を示す電設用取付体の正面図で、これは電設用取付体(１)内に配線器具の収容部を並列に配置したものである。
【００２０】
上記各実施形態では、単位構成体(２)(３)を構成する対向配置されている側壁(５)(６)での非連結端縁側(遊端側)の背面側部分同士を相対揺動可能に連結することで、電設用取付体(１)を中折れ可能に構成したものについて説明したが、単位構成体(２)(３)を構成してい背面板(４)同士を相対揺動可能に連結することで、電設用取付体(１)を中折れ可能に構成するようにしてもよい。
【産業上の利用可能性】
【００２１】
本発明は、一般家庭や、事業所あるいは病院などの複数の間仕切り壁を有する建物デ、後付でコンセントやスイッチをセットする際に好適となる。
【図面の簡単な説明】
【００２２】
【図１】本発明の一実施形態を示す電設用取付体の斜視図である。
【図２】電設用取付体の左側面図である。
【図３】電設用取付体の正面図である
【図４】取り付け手順１を示す一部縦断側面図である。
【図５】取り付け手順２を示す一部縦断側面図である。
【図６】本発明の別の実施形態を示す電設用取付体の正面図である
【符号の説明】
【００２３】
１…電設用取付体、２・３…単位構成体、４…背面板、５・６・７…側壁、11…電線保護管挿入口、12…壁パネル当接フレーム、20…間仕切り壁、21…壁パネル、22…開口空間。
【図１】
2010088226.tif 000003
【図２】
2010088226.tif 000004
【図３】
2010088226.tif 000005
【図４】
2010088226.tif 000006
【図５】
2010088226.tif 000007
【図６】
2010088226.tif 000008